(57)【特許請求の範囲】
【請求項１】
外形かまぼこ型の目地棒の先端ノッチ形成用の突片を一体に形成したもので、ノッチ形成用の突片を一体に突出させた断面Ｕ字形の本体と、この本体と分離可能に本体に組合わさり型枠合板に取付けられるベース部とで構成され、前記ベース部は、底辺とこの底辺よりも幅狭の上辺と、前記底辺と上辺とを結合する連結辺とで構成し、前記断面Ｕ字形の本体の内側に、ベース部の上辺の端部に形成した係止部への係合段部を形成したことを特徴とする鉄筋コンクリート造の建築物の壁の目地棒。
【請求項２】
前記断面Ｕ字形の本体の開口先端部の内側を先細りの楔状に形成し、この楔状部の長さをベース部の底辺と上辺との間隔幅に等しく形成して、楔状部の基部を前記係合段部とする請求項１記載の鉄筋コンクリート造の建築物の壁の目地棒。
【請求項３】
前記ベース部の上辺の端部に形成される係止部は、底辺の方向に向って外側に広がるテーパー部に形成した請求項１または請求項２に記載の鉄筋コンクリート造の建築物の壁の目地棒。
【請求項４】
前記ベース部の上辺の中央部をやや窪ませ、この窪みの両側にリブを突設した請求項１乃至請求項３のいずれかに記載の鉄筋コンクリート造の建築物の壁の目地棒。
【発明の詳細な説明】
【技術分野】
【０００１】
本発明は、鉄筋コンクリート造建築物の壁の目地棒に関するものである。
【背景技術】
【０００２】
鉄筋鉄骨コンクリート造、鉄筋コンクリート造などの鉄筋コンクリート造建築物の外壁などでは、コンクリートの乾燥収縮により亀裂が発生し、躯体強度の低下を招くおそれがある。そこで、任意の多数箇所に亀裂が発生することを防止するため、コンクリート躯体の所定箇所に予め亀裂誘発部（ノッチ）を施しておき、この箇所に応力を集中させてひび割れを積極的に起し、他の箇所に亀裂が発生しないようにしている。
【０００３】
下記特許文献１は、目地部にノッチを形成して、ここにひび割れを発生させるもので、そのための亀裂誘発目地棒として、図５〜図７に示すように型枠２３内面に取付けられる第１目地棒２１と、型枠２３内面から内方へ適当距離離れた位置において第１目地棒２１に分離可能な状態に嵌合固定された第２目地棒２２とからなり、第２目地棒２２が前記第１目地棒２１の内端部に対する嵌合用板部２２ａとその片面中間部から突出した平板状の亀裂誘発用板部２２ｂとにより断面略Ｔ字形状に形成されているものである。
【特許文献１】実公昭５９−１９０５１号公報
【発明の開示】
【発明が解決しようとする課題】
【０００４】
前記第２目地棒２２の嵌合用板部２２ａは、両端が内側にＬ字形に折曲っており、この折れ曲りにより内側に形成されるチャンネル状の溝が第１目地棒に嵌合することで、第２目地棒と第１目地棒とが結合される。
【０００５】
このように第２目地棒２２の嵌合用板部２２ａの両端部が鋭角に折れ曲っているため、第２目地棒２２と第１目地棒２１とで形成される目地の全体形状も台形形状にノッチがプラスされたものとなり、台形断面形状に鋭角な角部２４が存在する。
【０００６】
この鋭角な角部２４の存在により、ここにも応力が集中し、ノッチ先端以外にもこの鋭角な角部２４からひび割れ２５が生じる可能性がある。
【０００７】
本発明の目的は前記従来例の不都合を解消するものとして、亀裂誘発目地棒を、型枠に取りつけるベース部と、このベース部に分離可能に組合わさるノッチ形成用の突片を有する本体とで構成する場合に、形成される目地に鋭角な角部が生じることなく、ひび割れがノッチ先端にのみ確実に集中して発生するようにできる鉄筋コンクリート造建築物の壁の目地棒を提供することにある。
【課題を解決するための手段】
【０００８】
本発明は前記目的を達成するため、請求項１記載の発明は、外形かまぼこ型の目地棒の先端ノッチ形成用の突片を一体に形成したもので、ノッチ形成用の突片を一体に突出させた断面Ｕ字形の本体と、この本体と分離可能に本体に組合わさり型枠合板に取付けられるベース部とで構成され、前記ベース部は、底辺とこの底辺よりも幅狭の上辺と、前記底辺と上辺とを結合する連結辺とで構成し、前記断面Ｕ字形の本体の内側に、ベース部の上辺の端部に形成した係止部への係合段部を形成したことを要旨とするものである。
【０００９】
請求項１記載の本発明によれば、目地棒全体の外形形状には鋭角な部分が存在しないから、目地は全体がかまぼこ形に形成される。よって目地に鋭角な角部が生じることがなく、ひび割れをノッチの先端にのみ集中させることができる。
【００１０】
また、目地棒の本体を断面Ｕ字形に形成し、この内部にベース部が収納された状態で両者が結合されるから、目地棒の取付も容易で外形かまぼこ型の目地を簡単に形成できる。
【００１１】
さらに、ベース部は、底辺とこの底辺よりも幅狭の上辺と、前記底辺と上辺とを結合する連結辺とで構成し、前記断面Ｕ字形の本体の内側に、ベース部の上辺の端部に形成した係止部への係合段部を形成したので、ベース部に本体を結合する際も、Ｕ字形の開口部から本体をベース部に被せるようにするだけで係合段部が係止部に嵌合するから、ワンタッチ的に容易に行える。
【００１２】
請求項２記載の発明は、前記断面Ｕ字形の本体の開口先端部の内側を先細りの楔状に形成し、この楔状部の長さをベース部の底辺と上辺との間隔幅に等しく形成して、楔状部の基部を前記係合段部とすることを要旨とするものである。
【００１３】
請求項２記載の本発明によれば、Ｕ字形の本体の開口先端部の内側を先細りの楔状に形成したから、本体をベース部に結合する際には、この楔状部がベース部の上辺の両端に沿ってスライドし、また、楔状部の長さをベース部の底辺と上辺との間隔幅に等しく形成したから、楔状部の先端が底辺に当接した状態で係合団部が係止部に嵌合し、ベース部に対して本体が密に結合される。
【００１４】
そして、この状態では、ベース部の上辺と連結辺とが断面Ｕ字形の本体内に確実に収納され、目地は外形がＵ字形の断面かまぼこ形に形成される。
【００１５】
請求項３記載の発明は、前記ベース部の上辺の端部に形成される係止部は、底辺の方向に向って外側に広がるテーパー部に形成したことを要旨とするものである。
【００１６】
請求項３記載の本発明によれば、係止部を底辺の方向に向って外側に広がるテーパー部に形成することで、本体側の楔状部のテーパーと合致して楔状部がこの係止部のテーパーにそって滑らかにスライドし、本体のベース部への嵌合をスムーズに行える。
【００１７】
請求項４記載の発明は、前記ベース部の上辺の中央部をやや窪ませ、この窪みの両側にリブを突設したことを要旨とするものである。
【００１８】
請求項４記載の本発明によれば、ベース部の中央にくぼみを設けることで、ここに型枠への取付用の釘を打ち込むときに、位置決めと打ち込みを容易にできる。また、くぼみの両側にリブを設けることで、釘を打ち込む際の強度を補強できる。
【発明の効果】
【００１９】
以上述べたように本発明の鉄筋コンクリート造建築物の壁の目地棒は、亀裂誘発目地棒を、型枠に取りつけるベース部と、このベース部に分離可能に組合わさるノッチ形成用の突片を有する本体とで構成する場合に、形成される目地を断面かまぼこ形状としたから、目地に鋭角な角部が生じることなく、ひび割れがノッチ先端にのみ確実に集中して発生するようにできるものである。
【発明を実施するための最良の形態】
【００２０】
以下、図面について本発明の実施形態を詳細に説明する。図１は本発明の鉄筋コンクリート造建築物の壁の目地棒の実施形態を示す設置状態の横断平面図、図２は同上目地棒の分解斜視図、図３は同上横断平面図で、図中１４は型枠合板、１６はこの型枠合板１４により形成する鉄筋コンクリート造建築物の壁１５のコンクリートである。
【００２１】
この型枠合板１４に取付ける亀裂誘発用の目地棒１として、ノッチ形成用の突片１２を一体に突出させた断面Ｕ字形の本体２と、この本体と分離可能に本体２に組合わさり型枠合板１４に取付けられるベース部３とで構成した。
【００２２】
目地棒１の材質は、例えば発砲合成樹脂、硬質合成樹脂などの合成樹脂製、またはゴム製とし、合成樹脂製の場合は、押出し成形などにより一体的に成形する。
【００２３】
前記ベース部３は、平板状の長尺な底辺４とこの底辺４よりも幅狭の同じく平板状で長尺な上辺５と、前記底辺４と上辺５とを結合する一対の平板状で長尺な連結辺６とで構成し、一対の連結辺６は上辺５から底辺４に向けて両者の間隔が広がるように位置づける。
【００２４】
ベース部３の上辺５の両端部は本体２との係止部７として形成し、この係止部７の端面は、底辺４の方向に向って外側に広がるテーパー面７ａに形成した。
【００２５】
また、ベース部３の上辺５の中央部をやや窪ませ、この窪み８の両側にリブ９を突設する。
【００２６】
前記断面Ｕ字形の本体２の開口先端部の内側をテーパー面１０ａとして先細りの楔状に形成し、この楔状部１０の長さをベース部３の底辺４と上辺５との間隔幅に等しく形成して、楔状部１０の基部を前記係止部７との係合段部１１とする。
【００２７】
次に目地棒１を使用して亀裂誘発用の目地を形成する方法を説明する。ベース部３の底辺４を型枠合板１４に当て、釘１３を上辺５の窪み８の箇所に打ちこんでベース部３を型枠合板１４に固定する。この場合、窪み８により、釘１４の打ち込み位置が容易となり、また、釘１３の打ち込みに対しては、両側のリブ９が補強の役目を果す。
【００２８】
このようにして型枠合板１４に固定されたベース部３に対して、本体２の楔状部１０を底辺４と上辺５との間の隙間に端部から差込み、本体２をベース部３にそって長さ方向にスライドさせることで、本体２をベース部３に嵌合する。
【００２９】
または、本体２をベース部３の上に被せるようにして押しこめば、断面略Ｕ字形の本体２の開口の内側に形成されている楔状部１０のテーパー面１０ａが上辺５の両端に形成されている係止部７のテーパー面７ａにそってスライドし、楔状部１０が底辺４と上辺５との間の隙間に入り込む。
【００３０】
この状態で、楔状部１０の先端、すなわち本体２の開口端部がベース部３の底辺４に当接し、本体の係合段部１１がベース部３の係止部７と嵌合する。これにより、ベース部３が本体２の内部に収納された状態で本体２がベース部３に密に結合し、ノッチ形成用の突片１２が型枠合板１４から外方に突出する。
【００３１】
よって、コンクリート１６を型枠合板１４内に打設し、コンクリートの硬化後、型枠合板１４とともに目地棒１を取り除いて鉄筋コンクリート造建築物の壁１５を形成した場合、図４に示すように壁１５の面に目地１７が形成され、この目地１７の奥にはノッチ１９が形成される。
【００３２】
かかる目地１７は、断面Ｕ字形の本体２の外形により形成されたもので、図４に示すように全体が断面かまぼこ形に形成され、鋭角な部分はノッチ１９の部分だけであるから、ひび割れはこのノッチ１９の箇所にのみ確実に集中する。
【００３３】
目地１７にはシール材１８を充填することもできる。
【図面の簡単な説明】
【００３４】
【図１】本発明の鉄筋コンクリート造建築物の壁の目地棒の実施形態を示す設置状態の横断平面図である。
【図２】本発明の鉄筋コンクリート造建築物の壁の目地棒の実施形態を示す分解斜視図である。
【図３】本発明の鉄筋コンクリート造建築物の壁の目地棒の実施形態を示す横断平面図である。
【図４】本発明の鉄筋コンクリート造建築物の壁の目地棒の実施形態を示す目地棒を撤去した状態の目地の横断平面図である。
【図５】従来の目地棒の分解斜視図である。
【図６】従来の目地棒の設置状態の横断平面図である。
【図７】従来の目地棒を使用した目地の横断平面図である。
【符号の説明】
【００３５】
１  目地棒                      ２  本体
３  ベース部                    ４  底辺
５  上辺                        ６  連結辺
７  係止部                      ７ａ  テーパー面
８  窪み                        ９  リブ
１０  楔状部                    １０ａ  テーパー面
１１  係合段部                  １２  突片
１３  釘                        １４  型枠合板
１５  壁                        １６  コンクリート
１７  目地                      １８  シール材
１９  ノッチ                    ２１  第１目地棒
２２  第２目地棒                ２２ａ  嵌合用板部
２２ｂ  亀裂誘発用板部          ２３  型枠
２４  角部                      ２５  ひび割れ
【図１】
0005102001.tif 000002
【図２】
0005102001.tif 000003
【図３】
0005102001.tif 000004
【図４】
0005102001.tif 000005
【図５】
0005102001.tif 000006
【図６】
0005102001.tif 000007
【図７】
0005102001.tif 000008